(57)【要約】      （修正有）【課題】靴下と重ねても違和感なく、靴を履く日常生活にも不便をきたさない一日中装着可能とした簡素な形状で、間断のない足の指間・股間の汗の吸収と乾燥、併せて感染を前提とした殺菌作用を活用した水虫予防具を提供する。【解決手段】素材として、安全な人にやさしい超極細の銀繊維・銅繊維等、または銀イオン等を染み込ませた繊維などと汗など水分の吸収と速乾性高い繊維並びに伸縮自在なゴム繊維に着眼しこれらの繊維を一体化したもので、形状を約１ｃｍ幅帯状（水虫防止具の横断面帯状）または直径約２ｍｍロープ状（横断面ロープ状）に織り込んだ伸縮性のある輪を成している。したがって、足指の付け根・指間並びに股間へ自在に形と大きさを変え装着を可能とし、簡素で靴下と重ねても、常時装着しても違和感なく、さらに足指のアクセサリーとしても有効である。【選択図】図５
0003173799.tif 000002
【実用新案登録請求の範囲】
【請求項１】
超極細の銀繊維、または銀イオンを染み込ませた殺菌作用のある繊維を基本に、汗など水分の吸収と速乾性繊維並びに伸縮性自在なゴム繊維を帯状またはロープ状に織り込んだ伸縮性のある輪を形成する水虫予防具。
【請求項２】
銀繊維に替えて銅繊維、または銅イオンを染み込ませた殺菌作用のある繊維を織り込んだ請求項１の水虫予防具。
【請求項３】
帯状またはロープ状に織り込んだ伸縮性のある輪の大きさを足指の太さから大腿の太さとする請求項１の水虫予防具。
【考案の詳細な説明】
【技術分野】
【０００１】本考案は、水虫（以下頭部白癬、体部白癬、股部白癬、足・手白癬、爪白癬の総称）の８０％を占める足部（足白癬）、股部白癬の原因である白癬菌の繁殖しやすい足指の付け根と指間・股間の環境改善による白癬菌増殖抑制と、感染患部の白癬菌殺菌に関する。
【背景技術】
【０００２】水虫は白癬菌に感染し、湿度７０％以上、温度２６度以上などの環境により細菌が増殖し、特に８０％以上が足部と股部に症状のでる皮膚病で、足の指間、足指の付け根、足指の爪と皮膚間、股間に患部を確認できる。症状は軽度のうちは湿疹と痒み程度であるが、しかしその痒さは我慢出来ないほど、その後は角質層が剥離さらに指間が割れ痛み出すことになる。水虫の治療は、従来から抗白癬菌剤など症状にあった治療薬の患部塗布を継続すること、また、白癬菌が爪と皮膚間に浸潤した場合には内服薬投与が必要となっている。現代の生活環境を検証すると、白癬菌の培養施設といわれる靴を履く生活様式のため老若男女問わず罹患し、とくに６０歳以上の半数が水虫（白癬菌感染による痒みと痛み）と言われている。また保菌者が浴場など公共施設への出入りの機会が増し、その多くが除菌に関心が低いことや白癬菌が自然界いたるところに生息していることもあり、白癬菌を足部から除菌することは大変難しい。足部についた菌は、約１２時間で角質層に入ってしまうこともあり、間断なく抗菌、殺菌を含む除菌対策が必要とされる。この状況下で前述の薬物療法に加えて、民間療法としても様々な観点から対策が施されている。具体的には以下の通り先行技術文献に示されている。
例えば特許文献１は、水虫となる前に原因である白癬菌を抗菌する水虫予防もしくは治療用の足洗い器を提供している。同足洗い器は両足を入れることのできる大きさの純銅製のたらい容器で銅イオンの殺菌作用を活用したものである。
特許文献２は、水虫予防・抑制の手段として水虫抗菌具を提供している。同抗菌具は足の部分でも最も白癬菌の繁殖しやすい足指の付け根に抗菌物質（無機系および有機系抗菌剤）を含浸させた皮革のような柔軟材を密着させるもので、帯状・袋状の柔軟材に足指を挿通できる切込みをＩ字形またはＸ字形としたものである。
特許文献３は、素足と靴下と履物のための湿気防止と水虫予防の爪先カバー靴下が提供されている。同靴下は爪先裏の汗と匂いを吸収、乾燥による抗菌を目的としたもので、通気性良く伸縮する素材で素足の爪先を覆うスリッパ状を形成し爪先床上部にパットが張り付けられている。さらに靴下をとめるためカカト止めと甲部の部分でとめるための工夫がある。
【先行技術文献】
【特許文献】
【０００３】
【特許文献１】実用新案公開平９−６５５０
【特許文献２】実用新案公開平７−７８６６
【特許文献３】特許公開２０００−１２１７７０
【考案の概要】
【考案が解決しようとする課題】
【０００４】前記記載の水虫抗菌具については、銅等の殺菌作用を活用したもの、あるいは爪先裏の汗と匂いを吸収・乾燥作用を活用したものがあり、そしてその形状はたらい容器状、半靴下状、スリッパ状を形成しているが、現代の生活様式や環境に必ずしも適応しているとは言い難い。
前記の通り、水虫の発症の原因菌である白癬菌は湿度７０％以上、温度２６度以上の皮膚環境により増殖するため、特に８０％以上が足の指間、足指の付け根、足指の爪と皮膚間、股間で患部を確認できる。白癬菌初期感染は、家庭内浴室で使用する足ふきやタオル、カーペット、学校・公共施設の浴室のフローリングなど白癬菌が増殖した施設と考えられている。そして、現代社会では靴を履く生活様式のため、また保菌者が浴室など公共施設に出入りしその多くが除菌への関心が低いこともあり白癬菌感染と増殖環境は著しく増加傾向にある。白癬菌の感染度が低くても靴生活で過ごす時間が長く、また靴を履かなくとも指間と足指の付け根は湿度と温度でみると常に増殖環境にあり、従来の技術では、白癬菌を足部から除菌することは大変難しい。
従来の技術は、実際に水虫になる前の除菌対策として石鹸でコマメに洗う、次に銅イオン等の抗菌作用活用による足洗い器や靴下、さらに足指の付け根の乾燥を目的としたスリッパ状の予防具がある。これらは抗菌機能として一時的なものであったり、指間や指の付け根に接点が少なく殺菌による抗菌作用に欠けるもの、また抗菌作用と乾燥作用が合わせ備わったものではないが、それぞれ水虫予防具としてまったく機能していないわけではない。しかしながら、現代社会で白癬菌感染は、その機会は多く、生活環境全般に感染媒体は存在することと白癬菌増殖の環境下にあることを認識しなければならない。したがって、足の指間と指の付け根や股間の湿度を改善することと絶え間なく抗菌、殺菌を含む除菌対策が必要である。具体策としては最近の生活様式を考慮した場合には、靴下と重ねても違和感なく、靴を履く日常生活にも不便をきたさない一日中装着可能とした簡素な形状で、間断のない足の指間・股間の汗の吸収と乾燥、併せて感染を前提とした殺菌作用を活用した水虫予防具が必要である。
【課題を解決するための手段】
【０００５】前記従来の課題を解決するため主に銀イオンの殺菌効果を活用するものである。銀イオンの殺菌作用は明らかになって久しいが作用の原理は必ずしも確定していない。しかし産業界では居住環境全般の除菌効果に最適といわれていること、大学や研究機関による様々な実験により確認されている。銀の持つ殺菌効果を利用した身近なものとしては、皿・フォーク・箸など食器類、素材そのものに銀イオンを含ませた靴下やシャツもあり、さらに、超極細の銀繊維を織り込んだ靴下、銀イオンを染み込ませた繊維を活用したもの等広く生活に利用されている。
本考案は、素材として、安全な人にやさしい超極細の銀繊維・銅繊維等、または銀イオン等を染み込ませた繊維などと汗など水分の吸収と速乾性高い繊維並びに伸縮自在なゴム繊維に着眼しこれらの繊維を一体化したもので、形状を約１ｃｍ幅帯状図３，イまたは直径約２ｍｍロープ状図３，ロに編み込んだ伸縮性のある輪図１，４を成している。したがって、足指の付け根・指間図５〜１２並びに股間図１３，１４へ自在に形と大きさを変え装着を可能とし、簡素で靴下と重ねても、常時装着しても違和感なく、さらに足指のアクセサリーとしても有効な水虫予防具を提供するものである。
【考案の効果】
【０００６】考案の水虫予防具の特徴は、銀繊維・銅繊維または、銀イオン等含浸させた繊維と速乾性繊維並びにゴム繊維を一体的に織り込み輪を形成したものである。これは足部、股間の白癬菌殺菌による抗菌と汗など水分の吸収と乾燥に有効で白癬菌の増殖環境を改善することは勿論、足の大小、足指の大小、股部の大小に自在に装着可能である。また、患部症状の軽重や必要箇所に合わせ足指一本、あるいは二本、重い患部指一本に二重など活用法は多彩可能で白癬菌の感染予防と増殖抑制による水虫の治癒に効果的である。洗濯後に再使用は可能で、繊維は継続使用ができるので利用者にとり満足できるものである。簡素で靴下と重ねて常時装着しても違和感なくデスクワークが長時間続くサラリーマンにも適応したものである。
【図面の簡単な説明】
【０００７】
【図１】水虫予防具の平面図で、一部分は織り込んだ繊維内面を示している。
【図２】水虫予防具の立面図で、一部分は織り込んだ繊維内面を示している。
【図３】三つの繊維を編み込んだ横断面を示し、イは帯状、ロはロープ状を示している。
【図４】水虫予防具の斜視図で、一部分は織り込んだ繊維内面を示している。
【図５】水虫予防具を、主に、足指付け根三本に装着した表面図である。
【図６】水虫予防具を、主に、足指付け根三本に装着した裏面図である。
【図７】水虫予防具を足指五本に装着した表面図である。
【図８】水虫予防具を足指五本に装着した裏面図である。
【図９】小型の水虫予防具を足第二指一本に装着した表面図である。
【図１０】小型の水虫予防具を足第二指一本に装着した裏面図である。
【図１１】小型の水虫予防具を足第二・三指二本に装着しカカト止め不要とした表面図である。
【図１２】小型の水虫予防具を足指二・三指二本に装着しカカト止め不要とした裏面図である。
【図１３】水虫予防具を股部に装着した正面図である。
【図１４】水虫予防具を股部に装着した裏面図である。
【考案を実施するための形態】
［実施例］以下本発明の実施例を図面を参照しながら説明する。
【０００８】図５および６図は、水虫防止具を足部の五本指すべてに接し装着したものであるが、症状が比較的軽度で第二指・四指付け根裏面には接着していない。
【０００９】図７および８図は、水虫防止具を足部の五本指すべてに接し装着したものであり、症状が比較的重く五本指すべてに、しかも指の付け根裏面に二重に接着している。
【００１０】図９および１０図は、小型の水虫防止具を足部の第二指および第三指に接し装着したものであるが、症状が軽度で第二指および三指の付け根のみ接着している。
【００１１】図１１および１２図は、小型の水虫防止具を足部の第二・三指のみに接し装着したものであり、症状が軽度で第二・三指付け根のみ接着している。
【００１２】図１３および１４図は、水虫防止具を股間に接し装着したものである。感染が股間で患部への接着法が難しいので留具を設けた同防止具二本を活用し股間に良く留まるよう接し装着している。
【符号の説明】
【００１３】１．図１，２，４，５，６，７，８，９，１０，１１，１２，１３，１４に示す記号▲ａ▼は水虫防止具を示す。
２．図１，２，３，４に示す記号▲ｂ▼は水虫防止具を構成する銀繊維、銅繊維、同イオンを含浸させた繊維の何れかを示す。
３．図１，２，３，４に示す記号▲ｃ▼は水虫防止具を構成する汗など水分の吸収と速乾性高い繊維を示す。
４．図１，２，３，４に示す記号▲ｄ▼は水虫防止具を構成する弾力性繊維を示す。
５．図２，１３，１４に示す記号▲ｅ▼は水虫防止具に設備した留具を示す。
６．図３に示す記号▲イ▼は水虫防止具の横断面帯状、また▲ロ▼は横断面ロープ状を示す。
７．図５，６に示す数字▲１▼▲２▼▲３▼▲４▼▲５▼は水虫防止具を足指に装着する順を示す。
８．図７，８に示す数字▲１▼▲２▼▲３▼▲４▼▲５▼▲６▼▲７▼▲８▼▲９▼は水虫防止具を足指に装着する順を示す。
９．図９，１０に示す数字▲１▼▲２▼は水虫防止具を足指に装着する順を示す。
１０．図１１，１２に示す数字▲１▼▲２▼▲３▼▲４▼は水虫防止具を足指に装着する順を示す。
１１．図１３，１４に示す数字▲１▼▲２▼▲３▼▲４▼▲５▼▲６▼は水虫防止具を股部に装着する順を示す。ただし、、▲５▼▲６▼は留具を示す。
【図１】
0003173799.tif 000003
【図２】
0003173799.tif 000004
【図３】
0003173799.tif 000005
【図４】
0003173799.tif 000006
【図５】
0003173799.tif 000007
【図６】
0003173799.tif 000008
【図７】
0003173799.tif 000009
【図８】
0003173799.tif 000010
【図９】
0003173799.tif 000011
【図１０】
0003173799.tif 000012
【図１１】
0003173799.tif 000013
【図１２】
0003173799.tif 000014
【図１３】
0003173799.tif 000015
【図１４】
0003173799.tif 000016